(57)【要約】【課題】開口を囲繞する開口周縁部を潰れにくい立体的な凸形態に変形させることができ、開口周縁部が排泄物に対する障壁を形成した排泄物処理パッドを提供する。【解決手段】排泄物処理パッド２０Ａは、開口２７を通過した排泄物を収容する空間が上下面シート２１，２２の間に形成され、上下面シート２１，２２よりも高い剛性を有する台紙３０が上面シート２１の開口周縁部２９に固着されている。台紙３０は、第１〜第４折曲線３９〜４１で折曲され、中央部４６および両側部４７を有する前壁４３と、中央部４８および両側部４９を有する後壁４５と、両側壁４４とに区画されている。このパッド２０Ａでは、前後壁４３，４５が開口２７から下面シート２２に向かって末広がりに傾斜し、両側壁４４が開口２７から下面シート２２に向かって末広がりに傾斜し、開口周縁部２９が下面シート２２の上方へ凸となる立体的な形態に変形している。【選択図】図１
2005237793.tif 000002
【特許請求の範囲】
【請求項１】
厚み方向へ互いに対向する不透液性上面シートと不透液性下面シートとから構成され、縦方向に前域および後域と前記前後域の間に位置する中間域とを有し、前記上面シートを貫通する開口が、それら域のうちの少なくとも前記中間域における横方向中央に形成され、前記開口を通過した排泄物を収容する空間が、前記上面シートと前記下面シートとの間に形成された縦長の排泄物処理パッドにおいて、
前記上下面シートよりも高い剛性を有する台紙が、前記開口を囲繞する前記上面シートの開口周縁部に固着され、前記台紙が、前記開口周縁部の縦方向前方に位置して前記開口から前記下面シートに向かって互いの離間寸法が次第に広がる一対の第１折曲線で折曲されるとともに、前記開口周縁部の縦方向後方に位置して前記開口から前記下面シートに向かって互いの離間寸法が次第に広がる一対の第２折曲線で折曲されて、前記開口周縁部の縦方向前方に位置して前記第１折曲線間に延びる前壁と、前記開口周縁部の縦方向後方に位置して前記第２折曲線間に延びる後壁と、前記前後壁に連なって前記第１および第２折曲線間に延びる両側壁とに区画され、
前記台紙の互いに対向する前後壁が、前記開口から前記下面シートに向かって末広がりに傾斜し、前記台紙の互いに対向する両側壁が、前記開口から前記下面シートに向かって末広がりに傾斜し、前記上面シートの開口周縁部が、前記台紙の前後壁と両側壁とに適従して前記下面シートの上方へ凸となる立体的な形態に変形していることを特徴とする前記パッド
【請求項２】
前記台紙の前壁が、前記第１折曲線の間に位置して前記開口から前記下面シートに向かって該第１折曲線から次第に離間する一対の第３折曲線で折曲され、前記前壁が、前記第３折曲線の間に延びていて前記開口周縁部の縦方向後方へ向かって凹む中央部と、前記第１および第３折曲線の間に延びていて前記両側壁と対向する両側部とに区画され、
前記台紙の後壁が、前記第２折曲線の間に位置して前記開口から前記下面シートに向かって該第２折曲線から次第に離間する一対の第４折曲線で折曲され、前記後壁が、前記第４折曲線の間に延びていて前記開口周縁部の縦方向前方へ向かって凹む中央部と、前記第２および第４折曲線の間に延びていて前記両側壁と対向する両側部とに区画されている請求項１記載のパッド。
【請求項３】
縦方向に所定寸法離間して横方向へ延びる複数条の伸縮性弾性部材を収縮可能に取り付けた透水性シートが、前記下面シートの側に延びる前記両側壁の外縁に横方向へ伸長下に取り付けられ、前記両側壁どうしが、前記弾性部材の収縮力によって前記パッドの横方向内方へ引き寄せられている請求項１または請求項２に記載のパッド。
【請求項４】
弾性的な伸縮性を有する透水性シートが、前記下面シートの側に延びる前記両側壁の外縁に横方向へ伸長下に取り付けられ、前記両側壁どうしが、前記透水性シートの収縮力によって前記パッドの横方向内方へ引き寄せられている請求項１または請求項２に記載のパッド。
【請求項５】
前記パッドの後域の面積が、前記パッドの前域と中間域とのそれよりも大きく、前記後域が、前記パッドの縦方向後方に向かって横方向へ末広がりの袋状を呈する請求項１ないし請求項４いずれかに記載のパッド。
【請求項６】
前記台紙の両側壁が、前記台紙の後壁から前壁に向かって先細りを呈し、前記後壁の面積が、前記前壁のそれよりも大きい請求項１ないし請求項５いずれかに記載のパッド。
【請求項７】
排泄物を吸収保持する吸液性コアが、前記上面シートと前記下面シートとの間に介在し、前記下面シートの内面に接合されている請求項１ないし請求項６いずれかに記載のパッド。
【請求項８】
前記台紙のテーバー法に準拠した剛性値が、２〜４０ｍＮ・ｍの範囲にある請求項１ないし請求項７いずれかに記載のパッド。
【発明の詳細な説明】
【技術分野】
【０００１】
本発明は、排泄物を収容する排泄物処理パッドに関する。
【背景技術】
【０００２】
透液性表面シートおよび不透液性裏面シートとそれらシートの間に介在する吸液性コアとから吸収部が形成され、吸収部の周縁から上方へ延びる表裏面シートが吸収部の上面を覆うカバーシート部分を形成し、カバーシート部分に囲繞された開口が吸収部の中央に形成された縦長の排泄物処理パッドがある（特許文献１参照）。開口を囲繞するカバーシート部分の頂部には、環状に延びる伸縮性弾性部材が収縮可能に取り付けられている。パッドでは、表面シートが親水性繊維不織布から形成され、裏面シートがプラスチックフィルムから形成されている。パッドは、おむつカバーの内側に着脱可能に取り付けられ、おむつカバーを介して使用される。
【０００３】
このパッドは、縦方向に前域および後域と前後域の間に位置する中間域とを有し、前域がパッドの縦方向前方に向かって先細りを呈するとともに、後域がパッドの縦方向後方に向かって先細りを呈し、吸収部の横寸法が中間域で最も広くなっている。パッドは、排泄物を吸収部に収容することができるので、おむつカバーが排泄物で汚れることがなく、さらに、前後域が先細りを呈するので、パッドが着用者の股間部に納まって嵩張ることがない。
【特許文献１】特開２０００−４２０３３号公報
【発明の開示】
【発明が解決しようとする課題】
【０００４】
特許文献１に開示のパッドでは、開口を囲繞するカバーシート部分が低剛性の表裏面シートから形成されているので、パッドの厚み方向へかかるわずかな圧でカバーシート部分が容易に潰れてしまう。カバーシート部分が潰れると、カバーシート部分が排泄物に対する障壁としての機能を失い、吸収部に収容された排泄物がカバーシート部分を乗り越えて開口からパッドの外側に漏れてしまう場合がある。また、このパッドは、吸収部における排泄物の収容容積が小さく、多量の排泄物が排泄されたときに、排泄物の全てを吸収部に収容することができない場合がある。
【０００５】
本発明の目的は、開口を囲繞する開口周縁部を潰れにくい立体的な凸形態に変形させることができ、開口周縁部が排泄物に対する障壁としての機能を失うことがなく、多量の排泄物を収容することができる排泄物処理パッドを提供することにある。
【課題を解決するための手段】
【０００６】
前記課題を解決するための本発明の前提は、厚み方向へ互いに対向する不透液性上面シートと不透液性下面シートとから構成され、縦方向に前域および後域と前後域の間に位置する中間域とを有し、上面シートを貫通する開口がそれら域のうちの少なくとも中間域における横方向中央に形成され、開口を通過した排泄物を収容する空間が上面シートと下面シートとの間に形成された縦長の排泄物処理パッドである。
【０００７】
前記前提における本発明の特徴は、上下面シートよりも高い剛性を有する台紙が開口を囲繞する上面シートの開口周縁部に固着され、台紙が、開口周縁部の縦方向前方に位置して開口から下面シートに向かって互いの離間寸法が次第に広がる一対の第１折曲線で折曲されるとともに、開口周縁部の縦方向後方に位置して開口から下面シートに向かって互いの離間寸法が次第に広がる一対の第２折曲線で折曲されて、開口周縁部の縦方向前方に位置して第１折曲線間に延びる前壁と、開口周縁部の縦方向後方に位置して第２折曲線間に延びる後壁と、前後壁に連なって第１および第２折曲線間に延びる両側壁とに区画され、台紙の互いに対向する前後壁が開口から下面シートに向かって末広がりに傾斜し、台紙の互いに対向する両側壁が開口から下面シートに向かって末広がりに傾斜し、上面シートの開口周縁部が台紙の前後壁と両側壁とに適従して下面シートの上方へ凸となる立体的な形態に変形していることにある。このパッドは、下面シートの上方へ凸となる開口周縁部の立体的な形態が台紙によって保持される。
【０００８】
本発明は、以下の実施態様を有する。
（１）本発明の実施態様の一例は、台紙の前壁が第１折曲線の間に位置して開口から下面シートに向かって該第１折曲線から次第に離間する一対の第３折曲線で折曲され、前壁が、第３折曲線の間に延びていて開口周縁部の縦方向後方へ向かって凹む中央部と、第１および第３折曲線の間に延びていて両側壁と対向する両側部とに区画され、台紙の後壁が第２折曲線の間に位置して開口から下面シートに向かって該第２折曲線から次第に離間する一対の第４折曲線で折曲され、後壁が、第４折曲線の間に延びていて開口周縁部の縦方向前方へ向かって凹む中央部と、第２および第４折曲線の間に延びていて両側壁と対向する両側部とに区画されている。
（２）本発明の実施態様の他の一例は、縦方向に所定寸法離間して横方向へ延びる複数条の伸縮性弾性部材を収縮可能に取り付けた透水性シートが下面シートの側に延びる両側壁の外縁に横方向へ伸長下に取り付けられ、両側壁どうしが弾性部材の収縮力によってパッドの横方向内方へ引き寄せられている。
（３）本発明の実施態様の他の一例は、弾性的な伸縮性を有する透水性シートが下面シートの側に延びる両側壁の外縁に横方向へ伸長下に取り付けられ、両側壁どうしが透水性シートの収縮力によってパッドの横方向内方へ引き寄せられている。
（４）本発明の実施態様の他の一例は、パッドの後域の面積がパッドの前域と中間域とのそれよりも大きく、後域がパッドの縦方向後方に向かって横方向へ末広がりの袋状を呈する。
（５）本発明の実施態様の他の一例は、台紙の両側壁が台紙の後壁から前壁に向かって先細りを呈し、台紙の後壁の面積が前壁のそれよりも大きい。
（６）本発明の実施態様の他の一例は、排泄物を吸収保持する吸液性コアが上面シートと下面シートとの間に介在して下面シートの内面に接合されている。
（７）本発明の実施態様の他の一例は、台紙のテーバー法に準拠した剛性値が２〜４０ｍＮ・ｍの範囲にある。
【発明の効果】
【０００９】
本発明に係る排泄物処理パッドによれば、上面シートの開口周縁部に固着された台紙が第１および第２折曲線を介して折曲されることで立体的な形態を呈し、開口周縁部が台紙の前後壁と両側壁とに適従して下面シートの上方へ凸となる立体的な形態に変形する。パッドは、開口周縁部が排泄物に対する障壁として機能するので、空間に収容された排泄物が開口周縁部を乗り越えることはなく、排泄物の開口からの漏れを防ぐことができる。パッドは、台紙が上下面シートよりも高い剛性を有するので、背景技術のパッドと比較し、パッドの厚み方向へかかるわずかな圧で開口周縁部が潰れることはなく、台紙によって下面シートの上方へ凸となる開口周縁部の立体的な形態が保持され、開口周縁部が排泄物に対する障壁としての機能を失うことはない。
【００１０】
台紙の前壁が第１および第３折曲線で折曲され、台紙の後壁が第２および第４折曲線で折曲されたパッドでは、第１および第３折曲線の間に延びる前壁の両側部分が両側壁とともにパッドの厚み方向へかかる圧に対する支えとなり、第２および第４折曲線の間に延びる後壁の両側部分が両側壁とともにパッドの厚み方向へかかる圧に対する支えとなるので、パッドの厚み方向にかかる圧に対する台紙の座屈強度が向上し、パッドの厚み方向へ多少の圧がかかったとしても、開口周縁部が潰れることはなく、台紙によって下面シートの上方へ凸となる開口周縁部の立体的な形態を確実に保持することができる。
【００１１】
縦方向に所定寸法離間して横方向へ延びる複数条の伸縮性弾性部材を収縮可能に取り付けた透水性シートが下面シートの側に延びる両側壁の外縁に横方向へ伸長下に取り付けられたパッドは、弾性部材によって台紙の両側壁どうしがパッドの横方向内方へ引き寄せられるので、台紙の立体的な形態を確実に維持することができ、台紙と弾性部材とによって下面シートの上方へ凸となる開口周縁部の立体的な形態を確実に保持することができる。パッドは、その厚み方向へ大きな圧がかかり、開口周縁部が潰れて台紙が扁平になったとしても、圧が解除されると弾性部材の収縮力によって台紙が直ちに立体的な形態に復元し、それによって開口周縁部が下面シートの上方へ凸となる立体的な形態に復元する。
【００１２】
弾性的な伸縮性を有する透水性シートが下面シートの側に延びる両側壁の外縁に横方向へ伸長下に取り付けられたパッドは、透水性シートによって台紙の両側壁どうしがパッドの横方向内方へ引き寄せられるので、台紙の立体的な形態を確実に維持することができ、台紙と透水性シートとによって下面シートの上方へ凸となる開口周縁部の形態を確実に保持することができる。パッドは、その厚み方向へ大きな圧がかかり、開口周縁部が潰れて台紙が扁平になったとしても、圧が解除されると透水性シートの収縮力によって台紙が直ちに立体的な形態に復元し、それによって開口周縁部が下面シートの上方へ凸となる立体的な形態に復元する。
【００１３】
パッドの後域の面積がパッドの前域と中間域とのそれよりも大きく、後域がパッドの縦方向後方に向かって横方向へ末広がりの袋状を呈するパッドでは、後域における空間の排泄物の収容容積が大きく、パッドの使用中に多量の排泄物が排泄されたとしても、排泄物の全てを上下面シートの間に形成された空間に収容することができる。
【００１４】
台紙の両側壁が台紙の後壁から前壁に向かって先細りを呈し、台紙の後壁の面積が台紙の前壁のそれよりも大きいパッドでは、台紙の前壁と両側壁とが着用者の股間部に納まり、開口周縁部が股間部において嵩張ることはない。
【００１５】
排泄物を吸収保持する吸液性コアが下面シートの内面に接合されパッドは、空間に収容された排泄物がコアに吸収保持されるので、排泄物が開口に向かって逆戻りすることはなく、開口からの排泄物の漏れを確実に防ぐことができる。
【００１６】
台紙のテーバー法に準拠した剛性値が２〜４０ｍＮ・ｍの範囲にあるパッドは、下面シートの上方へ凸となる開口周縁部の形態が台紙の剛性によって確実に保持されるとともに、開口周縁部の剛性が必要以上に増加せず、パッドの使用中に開口周縁部が着用者の肌に接したとしても、開口周縁部が着用者に不快な刺激を与えることはない。
【発明を実施するための最良の形態】
【００１７】
添付の図面を参照し、本発明に係る排泄物処理パッドの詳細を説明すると、以下のとおりである。
【００１８】
図１，２は、前域２４の側から示す排泄物処理パッド２０Ａの部分破断斜視図と、後域２６の側から示す図１のパッド２０Ａの斜視図とであり、図３は、パッド２０Ａから台紙３０を分離した状態で示す分解斜視図である。図４，５は、図１の４−４線矢視断面図と、図１の５−５線矢視断面図とである。図１，２では、横方向を矢印Ｌ、縦方向を矢印Ｍで示し、厚み方向を矢印Ｎで示す。なお、上下面シート２１，２２や台紙３０の内面とは、コア２３に対向する面をいい、それらの外面とは、コア２３に非対向の面をいう。
【００１９】
パッド２０Ａは、肌当接側に位置する不透液性上面シート２１および肌非当接側に位置する不透液性下面シート２２と、それらシート２１，２２の間に介在する吸液性コア２３とから構成されている。上下面シート２１，２２は、パッド２０Ａの厚み方向へ互いに対向している。パッド２０Ａは、最大縦寸法が最大横寸法よりも大きい縦長を呈し、縦方向に前域２４および後域２６と、前後域２４，２６の間に位置する中間域２５とを有する。パッド２０Ａでは、後域２６の面積が前域２４と中間域２５とのそれよりも大きく、後域２６がパッド２０Ａの縦方向後方に向かって横方向へ末広がりの袋状を呈する。
【００２０】
前域２４と中間域２５とにおける横方向中央には、上面シート２１をその厚み方向へ貫通する縦長の開口２７が形成されている。上面シート２１と下面シート２２との間には、開口２７を通過した排泄物を収容する空間２８が形成されている。後域２６に形成された空間２８の排泄物収容容積は、前域２４と中間域２５とに形成された空間２８のそれよりも大きい。開口２７を囲繞する上面シート２１の開口周縁部２９には、上下面シート２１，２２よりも高い剛性を有する台紙３０が固着されている。
【００２１】
上面シート２１と下面シート２２とは、疎水性繊維不織布３１と通気不透液性プラスチックフィルム３２とをラミネートした複合シートから形成されている。ゆえに、上下面シート２１，２２は、それらの剛性が台紙３０のそれよりも低い。上面シート２１と下面シート２２とは、コア２３の周縁３３から周方向外方へ延びる周縁部３４を有する。周縁部３４では、上下面シート２１，２２が互いに重なり合った状態でそれらシート２１，２２の内面どうしが水密に固着されている。前域２４と後域２６とにおける下面シート２２の外面には、剥離紙３５に被覆保護された粘着剤３６が塗布されている（図５参照）。
【００２２】
コア２３は、パッド２０Ａの前後域２４，２６と中間域２５とに配置され、下面シート２２の内面に接合されている。コア２３は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア２３は、それの型崩れを防止するため、全体がティッシュペーパーや親水性繊維不織布等の透液性シート６９に包被されている。
【００２３】
台紙３０は、開口周縁部２９に沿って開口２７を囲繞する環状を呈し、開口２７の側に位置する内周縁３７と、内周縁３７の反対側に位置する外周縁３８とを有する。台紙３０は、その外面が上面シート２１の内面に固着されている。台紙３０は、一対の第１折曲線３９と一対の第２折曲線４０とを介して折曲され、一対の第３折曲線４１と一対の第４折曲線４２とを介して折曲されている。
【００２４】
第１折曲線３９は、開口周縁部２９の縦方向前方に位置し、台紙３０の内外周縁３７，３８間に延びている。第１折曲線３９は、横方向へ離間対向し、互いの離間寸法が開口２７から下面シート２２に向かうにつれて（台紙３０の内周縁３７から外周縁３８に向かうにつれて）次第に広がっている。第２折曲線４０は、開口周縁部２９の縦方向後方に位置し、台紙３０の内外周縁３７，３８間に延びている。第２折曲線４０は、横方向へ離間対向し、互いの離間寸法が開口２７から下面シート２２に向かうにつれて（台紙３０の内周縁３７から外周縁３８に向かうにつれて）次第に広がっている。台紙３０は、第１折曲線３９と第２折曲線４０とにおいて開口周縁部２９の周方向外方へ凸となるように（山折り）折り曲げられている。
【００２５】
第３折曲線４１は、第１折曲線３９の間に位置し、台紙３０の内周縁３７において第１折曲線３９から分岐して台紙３０の外周縁３８に達している。第３折曲線４１は、横方向へ離間対向し、開口２７から下面シート２２に向かうにつれて（台紙３０の内周縁３７から外周縁３８に向かうにつれて）第１折曲線３９から次第に離間している。第４折曲線４２は、第２折曲線４０の間に位置し、台紙３０の内周縁３７において第２折曲線４０から分岐して台紙３０の外周縁３８に達している。第４折曲線４２は、横方向へ離間対向し、開口２７から下面シート２２に向かうにつれて（台紙３０の内周縁３７から外周縁３８に向かうにつれて）第２折曲線４０から次第に離間している。台紙３０は、第３折曲線４１と第４折曲線４２とにおいて開口周縁部２９の周方向内方へ凸となるように（谷折り）折り曲げられている。
【００２６】
台紙３０は、開口周縁部２９の縦方向前方に位置して第１折曲線３９間に延びる前壁４３と、開口周縁部２９の縦方向後方に位置して第２折曲線４０間に延びる後壁４５と、前後壁４３，４５に連なって第１および第２折曲線３９，４１間に延びる両側壁４４とに区画されている。台紙３０では、両側壁４４が後壁４５から前壁４３に向かって先細りを呈し、後壁４５の面積が前壁４３のそれよりも大きい。前壁４３は、第３折曲線４１の間に延びていて開口周縁部２９の縦方向後方へ向かって凹む台形状の中央部４６と、第１および第３折曲線３９，４１の間に延びていて両側壁４４と対向する三角形状の両側部４７とに区画されている。後壁４５は、第４折曲線４２の間に延びていて開口周縁部２９の縦方向前方へ向かって凹む台形状の中央部４８と、第２および第４折曲線４０，４２の間に延びていて両側壁４４と対向する三角形状の両側部４９とに区画されている。
【００２７】
下面シート２２の側に延びる両側壁４４の外縁３８には、透水性シート５０が横方向へ伸長下に取り付けられている。透水性シート５０には、縦方向に所定寸法離間して横方向へ延びる複数条の伸縮性弾性部材５１が収縮可能に取り付けられている。弾性部材５１は、横方向へ所定の倍率に伸長させた状態でシート５０に固着されている。台紙３０の両側壁４４は、弾性部材５１の収縮力によってパッド２０Ａの横方向内方へ引き寄せられている。台紙３０は、互いに対向する前後壁４３，４５が開口２７から下面シート２２に向かって末広がりに傾斜し、互いに対向する両側壁４４が開口２７から下面シート２２に向かって末広がりに傾斜している。台紙３０は、開口２７を頂として下面シート２２の上方へ凸となる立体的な形態を呈する。
【００２８】
開口周縁部２９は、台紙３０の前壁４３に延びる前部位５２と、両側壁４４に延びる両側部位５３と、台紙３０の後壁４５に延びる後部位５４とに区画されている。開口周縁部２９では、両側部位５３が後部位５４から前部位５２に向かって先細りを呈し、後部位５４の面積が前部位５２のそれよりも大きい。前部位５２は、前壁４３の中央部４６に延びる中央部分５５と、前壁４３の両側部４７に延びる両側部分５６とに区画されている。後部位５４は、後壁４５の中央部４８に延びる中央部分５７と、後壁４５の両側部４９に延びる両側部分５８とに区画されている。開口周縁部２９は、台紙３０の前後壁４３，４５の傾斜にともなって互いに対向する前後部位５２，５４が開口２７から下面シート２２に向かって末広がりに傾斜し、台紙３０の両側壁４４の傾斜にともなって互いに対向する両側部位５３が開口２７から下面シート２２に向かって末広がりに傾斜している。開口周縁部２９は、台紙３０の前後壁４３，４５と両側壁４４とに適従して下面シート２２の上方へ凸となる立体的な形態に変形している。
【００２９】
パッド２０Ａは、下面シート２２の上方へ凸となる開口周縁部２９の前後部位５２，５４と両側部位５３とが排泄物に対する障壁を形成するので、排泄物が開口周縁部２９を乗り越えることはなく、空間２８に収容された排泄物が開口２７からパッド２０Ａの外側に漏れることはない。パッド２０Ａは、台紙３０が上下面シート２１，２２よりも高い剛性を有するので、パッド２０Ａの厚み方向へわずかな圧がかかったとしても、台紙３０の剛性によって開口周縁部２９の立体的な形態が保持され、開口周縁部２９が容易に潰れることはなく、開口周縁部２９が排泄物に対する障壁としての機能を失うことはない。
【００３０】
パッド２０Ａでは、第１および第３折曲線３９，４１の間に延びる前壁４３の両側部分４７が両側壁４４とともにパッド２０Ａの厚み方向へかかる圧に対する支えとなり、第２および第４折曲線４０，４２の間に延びる後壁４５の両側部分４９が両側壁４４とともにパッド２０Ａの厚み方向へかかる圧に対する支えとなるので、パッド２０Ａの厚み方向にかかる圧に対する台紙３０の座屈強度が向上し、パッド２０Ａの厚み方向へ多少の圧がかかったとしても、開口周縁部２９が潰れることはなく、台紙３０によって開口周縁部２９の立体的な形態を確実に保持することができる。
【００３１】
パッド２０Ａは、弾性部材５１の収縮力によって台紙３０の両側壁４４どうしがパッド２０Ａの横方向内方へ引き寄せられるので、台紙３０の立体的な形態を確実に維持することができ、台紙３０と弾性部材５１とによって下面シート２２の上方へ凸となる開口周縁部２９の立体的な形態を確実に保持することができる。パッド２０Ａは、その厚み方向へ大きな圧がかかり、開口周縁部２９が潰れて台紙３０が扁平になったとしても、圧が解除されると弾性部材５１の収縮力によって台紙３０が直ちに立体的な形態に復元し、それによって開口周縁部２９が下面シート２２の上方へ凸となる立体的な形態に復元する。
【００３２】
パッド２０Ａは、後域２６の面積が前域２４と中間域２５とのそれよりも大きく、後域２６がパッド２０Ａの縦方向後方に向かって横方向へ末広がりの袋状を呈するので、後域２６における空間２８の排泄物の収容容積が大きく、パッド２０Ａの使用中に多量の排泄物が排泄されたとしても、排泄物の全てを空間２８に収容することができる。パッド２０Ａは、台紙３０の両側壁４４が後壁４５から前壁４３に向かって先細りを呈し、後壁４５の面積が前壁４３のそれよりも大きいので、台紙３０の前壁４３と両側壁４４とが着用者の股間部に納まり、開口周縁部２９が股間部において嵩張ることはない。
【００３３】
台紙３０の剛性値は、２〜４０ｍＮ・ｍの範囲にある。台紙３０の剛性値が２ｍＮ・ｍ未満では、パッド２０Ａの厚み方向へ圧がかかったときに、台紙３０が容易に潰れ、上面シート２１の開口周縁部２９を下面シート２２の上方へ凸となる形態に保持することができない。台紙３０の剛性値が４０ｍＮ・ｍを超過すると、パッド２０Ａの使用中に着用者の肌に当接する開口周縁部２９が着用者に不快な刺激を与える。なお、台紙３０の剛性値は、テーバー法（ＪＩＳ Ｐ ８１２５）に準拠して測定した。その測定方法は、以下のとおりである。
（１）パッド２０Ａに使用した台紙３０と同一のそれを裁断し、縦寸法５０ｍｍ×横寸法２５ｍｍの測定用サンプルを作成した。剛性値の測定には、（株）安田精機製作所製のテーバースティフネステスターを使用し、サンプルの縦方向と横方向との剛性値を測定した。
（２）次に、測定の手順を説明する。(a)サンプルの厚み（Ａ）を測定する。(b)サンプルを試験機のチャック（下側）の中心に触れる程度に挟み込む。(c)支持ローラとサンプルとの左右隙間の合計を（Ａ）×０．８０（ｍｍ）に調節する。(d)補助おもり１／２を上にかぶせる。(e)サンプルを左右両方向に回転させ、１５度支持刻線と振り子の中心刻とが一致した点で停止し、試験機の目盛りを読み取る。目盛りの左側の数値を（Ｂ）とし、目盛りの右側の数値を（Ｃ）とする。
（３）サンプルの剛性値は、式：剛性値（Ｎ・ｃｍ）＝（（Ｂ）＋（Ｃ））／２×（補助おもり係数）／１０００×９．８０７で算出した。算出したサンプルの縦横方向の剛性値は、２〜４０ｍＮ・ｍであり、サンプルの剛性値を台紙３０の剛性値とした。
【００３４】
パッド２０Ａでは、弾性部材５１の伸長応力が０．０１〜１．５Ｎの範囲にある。弾性部材５１の伸長応力は、弾性部材１本の伸長応力である。弾性部材５１の伸長応力が０．０１Ｎ未満では、弾性部材５１の収縮力によって台紙３０の両側壁４４どうしをパッド２０Ａの横方向へ十分に引き寄せることができず、パッド２０Ａの厚み方向へかかる圧が解除されたときに、台紙３０が立体的な形態に復元しない場合があり、開口周縁部２９が下面シート２２の上方へ凸となる立体的な形態に復元しない場合がある。弾性部材５１の伸長応力が１．５Ｎを超過すると、弾性部材５１の収縮力によってパッド２０Ａの横方向へ引き寄せられた台紙３０の両側壁４４どうしが互いに当接し、開口２７がその口を閉じてしまう場合がある。なお、弾性部材５１の伸長応力は、以下の方法で測定した。
（１）透水性シート５０に取り付けた弾性部材５１と同一のそれを測定用サンプル（１本）として用意した。伸長応力の測定には、島津製作所社製の引張り試験機を使用した。
（２）次に、測定の手順を説明する。サンプルの縦方向両端部を引張り試験機のチャックで挟み（チャックによるサンプルの挟み寸法：約１０ｍｍ、サンプルのチャック間寸法：約１００ｍｍ）、１００ｍｍ／ｍｉｎの速度でサンプルを縦方向へ引っ張り、サンプルを３００％まで伸長させた後、伸長状態を解除する。再度、試験機を介して１００ｍｍ／ｍｉｎの速度でサンプルを縦方向へ引っ張り、サンプルを２００％まで伸長させ、そのときの試験機にかかる力を測定した。ここで、サンプルを２００％まで伸長させるとは、たとえば、サンプルのチャック間寸法が１００ｍｍの場合、サンプルを１００ｍｍに２．０を乗じた値である約２００ｍｍまで伸ばすことである。サンプルの伸長応力は０．０１〜１．５Ｎであり、サンプルの伸長応力を弾性部材５１の１本の伸長応力とした。
【００３５】
図６は、パッド２０Ａの使用状態を示す斜視図であり、パッド２０Ａがおむつカバー５９の内側に取り付けられている。図６では、横方向を矢印Ｌ、縦方向を矢印Ｍで示し、厚み方向を矢印Ｎで示す。カバー５９は、横方向へ延びる両端部６０と、縦方向へ延びる両側部６１とを有し、縦方向に前胴周り域６２および後胴周り域６４と、それら胴周り域６２，６４の間に位置する股下域６３とを有する。股下域６３では、両側部６１がカバー５９の横方向内方へ向かって湾曲している。カバー５９は、その平面形状が砂時計型を呈する。カバー５９は、肌当接側に位置する疎水性繊維不織布６５と肌非当接側に位置する通気不透液性プラスチックフィルム６６とをラミネートした複合シートから形成されている。両端部６０には、横方向へ延びる帯状の胴周り用弾性部材６７が収縮可能に取り付けられている。両側部６１には、縦方向へ延びる複数条の脚周り用弾性部材６８が収縮可能に取り付けられている。それら弾性部材６７，６８は、不織布６５とフィルム６６との間に介在し、それらの対向面に固着されている。
【００３６】
後胴周り域６４の両側部６１には、横方向へ延びる一対のテープファスナ６７が取り付けられている。テープファスナ６７の自由部には、剥離紙に被覆保護された粘着剤が塗布されている（図示せず）。前胴周り域６２におけるフィルム６６の外面には、テープファスナ６７の自由部を着脱可能に止着する矩形のターゲットテープ６８が固着されている。
【００３７】
パッド２０Ａを使用するには、剥離紙３５を剥がして粘着剤３６を露出させた後、粘着剤３６を介してパッド２０Ａの下面シート２２の外面をカバー５９の内側（不織布６５）に止着する。パッド２０Ａをカバー５９に止着すると、パッド２０Ａの前域２４がカバー５９の前胴周り域６２と股下域６３とに位置し、中間域２５が股下域６３に位置するとともに、後域２６が股下域６３と後胴周り域６４とに位置する。上面シート２２に形成された開口２７は、カバー５９の股下域６３に位置する。パッド２０Ａを止着したカバー５９を着用者に装着するには、着用者の股間部にカバー５９の股下域６３を位置させ、後胴周り域６４の両側部６１を着用者の腹部の側に移動させた後、後胴周り域６４の両側部６１を前胴周り域６２の両側部６１の外側に重ね合わせ、粘着剤を介してテープファスナ６７の自由部をターゲットテープ６８の外面に止着し、前胴周り域６２と後胴周り域６４とを連結する。前後胴周り域６２，６４が連結されたカバー５９には、胴周り開口と一対の脚周り開口とが形成される（図示せず）。パッド２０Ａの使用中に排泄された尿や大便は、パッド２０Ａの開口２７を通過して空間２８に収容され、コア２３に吸収保持される。
【００３８】
図７，８は、他の一例の前域２４の側から示す排泄物処理パッド２０Ｂの斜視図と、後域２６の側から示す図７のパッド２０Ｂの斜視図とであり、図９は、パッド２０Ｂから台紙３０を分離した状態で示す分解斜視図である。図１０，１１は、図７の１０−１０線矢視断面図と、図７の１１−１１線矢視断面図とである。図７，８では、横方向を矢印Ｌ、縦方向を矢印Ｍで示し、厚み方向を矢印Ｎで示す。
【００３９】
パッド２０Ｂは、肌当接側に位置する不透液性上面シート２１および肌非当接側に位置する不透液性下面シート２２と、それらシート２１，２２の間に介在する吸液性コア２３とから構成されている。パッド２０Ｂは、縦方向に前域２４および後域２６と、前後域２４，２６の間に位置する中間域２５とを有する。パッド２０Ｂでは、後域２６の面積が前域２４と中間域２５とのそれよりも大きく、後域２６がパッド２０Ｂの縦方向後方に向かって横方向へ末広がりの袋状を呈する。
【００４０】
前域２４と中間域２５とにおける横方向中央には、上面シート２１をその厚み方向へ貫通する縦長の開口２７が形成されている。上面シート２１と下面シート２２との間には、排泄物を収容する空間２８が形成されている。後域２６に形成された空間２８の排泄物収容容積は、前域２４と中間域２５とに形成された空間２８のそれよりも大きい。開口２７を囲繞する上面シート２１の開口周縁部２９には、上下面シート２１，２２よりも高い剛性を有する台紙３０が固着されている。
【００４１】
上面シート２１と下面シート２２とは、図１のそれらと同一の複合シートから形成され、それらシート２１，２２の剛性が台紙３０のそれよりも低い。コア２３の周縁３３から周方向外方へ延びる上下面シート２１，２２の周縁部３４では、上下面シート２１，２２が互いに重なり合った状態でそれらシート２１，２２の内面どうしが水密に固着されている。前域２４と後域２６とにおける下面シート２２の外面には、剥離紙３５に被覆保護された粘着剤３６が塗布されている。コア２３は、パッド２０Ｂの前後域２４，２６と中間域２５とに配置され、下面シート２２の内面に接合されている。コア２３は、図１のそれと同一の混合物であり、全体がティッシュペーパーや親水性繊維不織布等の透液性シート６９に包被されている。
【００４２】
台紙３０は、開口周縁部２９に沿って開口２７を囲繞する環状を呈し、開口２７の側に位置する内周縁３７と、内周縁３７の反対側に位置する外周縁３８とを有する。台紙３０は、その外面が上面シート２１の内面に固着されている。台紙３０は、一対の第１折曲線３９と一対の第２折曲線４０とを介して折曲されている。
【００４３】
第１折曲線３９は、開口周縁部２９の縦方向前方に位置し、台紙３０の内外周縁３７，３８間に延びている。第１折曲線３９は、横方向へ離間対向し、互いの離間寸法が開口２７から下面シート２２に向かうにつれて（台紙３０の内周縁３７から外周縁３８に向かうにつれて）次第に広がっている。第２折曲線４０は、開口周縁部２９の縦方向後方に位置し、台紙３０の内外周縁３７，３８間に延びている。第２折曲線４０は、横方向へ離間対向し、互いの離間寸法が開口２７から下面シート２２に向かうにつれて（台紙３０の内周縁３７から外周縁３８に向かうにつれて）次第に広がっている。台紙３０は、第１折曲線３９と第２折曲線４０とにおいて開口周縁部２９の周方向外方へ凸となるように（山折り）折り曲げられている。
【００４４】
台紙３０は、開口周縁部２９の縦方向前方に位置して第１折曲線３９間に延びる前壁４３と、開口周縁部２９の縦方向後方に位置して第２折曲線４０間に延びる後壁４５と、前後壁４３，４５に連なって第１および第２折曲線３９，４０間に延びる両側壁４４とに区画されている。台紙３０では、両側壁４４が後壁４５から前壁４３に向かって先細りを呈し、後壁４５の面積が前壁４３のそれよりも大きい。
【００４５】
下面シート２２の側に延びる両側壁４４の外縁３８には、弾性的な伸縮性を有する透水性シート７０が横方向へ伸長下に取り付けられている。台紙３０の両側壁４４は、透水性シート７０の収縮力によってパッド２０Ｂの横方向内方へ引き寄せられている。台紙３０は、互いに対向する前後壁４３，４５が開口２７から下面シート２２に向かって末広がりに傾斜し、互いに対向する両側壁４４が開口２７から下面シート２２に向かって末広がりに傾斜している。台紙３０は、開口２７を頂として下面シート２２の上方へ凸となる立体的な形態を呈する。
【００４６】
開口周縁部２９は、台紙３０の前壁４３に延びる前部位５２と、両側壁４４に延びる両側部位５３と、台紙３０の後壁４５に延びる後部位５４とに区画されている。開口周縁部２９では、両側部位５３が後部位５４から前部位５２に向かって先細りを呈し、後部位５４の面積が前部位５２のそれよりも大きい。開口周縁部２９は、台紙３０の前後壁４３，４５の傾斜にともなって互いに対向する前後部位５２，５４が開口３０から下面シート２２に向かって末広がりに傾斜し、台紙３０の両側壁４４の傾斜にともなって互いに対向する両側部位５３が開口３０から下面シート２２に向かって末広がりに傾斜している。開口周縁部２９は、台紙３０の前後壁４３，４５と両側壁４４とに適従して下面シート２２の上方へ凸となる立体的な形態に変形している。
【００４７】
このパッド２０Ｂは、図１のそれと同様におむつカバーの内側に着脱可能に取り付けられ、おむつカバーを介して使用される。このパッド２０Ｂをおむつカバーに取り付ける手順は、図６のそれと同様であり、その説明は省略する。なお、パッド２０Ｂの使用中に排泄された尿や大便は、パッド２０Ｂの開口２７を通過して空間２８に収容され、コア２３に吸収保持される。
【００４８】
パッド２０Ｂは、下面シート２２の上方へ凸となる開口周縁部２９の前後部位５２，５４と両側部位５３とが排泄物に対する障壁を形成するので、排泄物が開口周縁部２９を乗り越えることはなく、空間２８に収容された排泄物が開口２７からパッド２０Ｂの外側に漏れることはない。パッド２０Ｂは、台紙３０が上下面シート２１，２２よりも高い剛性を有するので、パッド２０Ｂの厚み方向へわずかな圧がかかったとしても、台紙３０の剛性によって開口周縁部２９の立体的な形態が保持され、開口周縁部２９が容易に潰れることはなく、開口周縁部２９が排泄物に対する障壁としての機能を失うことはない。
【００４９】
パッド２０Ｂは、透水性シート７０によって台紙３０の両側壁４４どうしがパッド２０Ｂの横方向内方へ引き寄せられるので、台紙３０の立体的な形態を確実に維持することができ、台紙３０と透水性シート７０とによって下面シート２２の上方へ凸となる開口周縁部２９の立体的な形態を確実に保持することができる。パッド２０Ｂは、その厚み方向へ大きな圧がかかり、開口周縁部２９が潰れて台紙３０が扁平になったとしても、圧が解除されると透水性シート７０の収縮力によって台紙３０が直ちに立体的な形態に復元し、それによって開口周縁部２９が下面シート２２の上方へ凸となる立体的な形態に復元する。
【００５０】
パッド２０Ｂは、後域２６の面積が前域２４と中間域２５とのそれよりも大きく、後域２６がパッド２０Ｂの縦方向後方に向かって横方向へ末広がりの袋状を呈するので、後域２６における空間２８の排泄物の収容容積が大きく、パッド２０Ｂの使用中に多量の排泄物が排泄されたとしても、排泄物の全てを空間２８に収容することができる。パッド２０Ｂは、台紙３０の両側壁４４が後壁４５から前壁４３に向かって先細りを呈し、台紙３０の後壁４５の面積が前壁４３のそれよりも大きいので、前壁４３と両側壁４４とが着用者の股間部に納まり、開口周縁部２９が股間部において嵩張ることはない。
【００５１】
台紙３０の剛性値は、２〜４０ｍＮ・ｍの範囲にある。台紙３０の剛性値が２ｍＮ・ｍ未満では、パッド２０Ｂの厚み方向へ圧がかかったときに、台紙３０が容易に潰れ、上面シート２１の開口周縁部２９を下面シート２２の上方へ凸となる形態に保持することができない。台紙３０の剛性値が４０ｍＮ・ｍを超過すると、パッド２０Ｂの使用中に着用者の肌に当接する開口周縁部２９が着用者に不快な刺激を与える。なお、台紙３０の剛性値は、テーバー法（ＪＩＳ Ｐ ８１２５）に準拠して測定した。その測定方法は、図１のそれと同一である。
【００５２】
パッド２０Ｂでは、透水性シート７０の伸長応力が０．０１〜１．０Ｎの範囲にある。透水性シート７０の伸長応力が０．０１Ｎ未満では、シート７０の収縮力によって台紙３０の両側壁４４どうしをパッド２０Ｂの横方向へ十分に引き寄せることができず、パッド２０Ｂの厚み方向へかかる圧が解除されたときに、台紙３０が立体的な形態に復元しない場合があり、開口周縁部２９が下面シート２２の上方へ凸となる立体的な形態に復元しない場合がある。透水性シート７０の伸長応力が１．０Ｎを超過すると、シート７０の収縮力によってパッド２０Ｂの横方向へ引き寄せられた台紙３０の両側壁４４どうしが互いに当接し、開口２７がその口を閉じてしまう場合がある。
【００５３】
なお、透水性シート７０の伸長応力は、透水性シート７０を裁断して縦寸法５０ｍｍ×横寸法２５ｍｍの測定用サンプルを作成し、島津製作所社製の引張り試験機を使用して測定した。透水性シート７０の伸長応力の測定手順が弾性部材５１の伸長応力の測定手順（２）と異なるのは、以下のとおりである。試験機を介して１００ｍｍ／ｍｉｎの速度でサンプルを縦方向へ１００％まで伸長させ、サンプルの伸長状態を解除することなく、サンプルの１００％伸長時の試験機にかかる力を測定した。サンプルの伸長応力は０．０１〜１．０Ｎであり、サンプルの伸長応力を透水性シート７０の伸長応力とした。
【００５４】
それらパッド２０Ａ，２０Ｂは、開口２７が前域２４と中間域２５との横方向中央に形成されているが、開口２７が中間域２５の横方向中央のみに形成されていてもよく、前後域２４，２６と中間域２５との横方向中央に形成されていてもよい。また、パッド２０Ａ，２０Ｂでは、第１〜第４折曲線３９〜４１において台紙３０に切り込みが入れられていてもよく、台紙３０が切断されていてもよい。パッド２０Ａ，２０Ｂでは、台紙３０の両側壁４４の外縁３８に透水性シート５０，７０が取り付けられていなくてもよい。
【００５５】
上面シート２１と下面シート２２とには、図示の複合シートの他に、疎水性繊維不織布、通気不透液性プラスチックフィルム、２枚以上の疎水性繊維不織布をラミネートした複合不織布のいずれかを使用することもできる。上下面シート２１，２２には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。透水性シート５０には、親水性繊維不織布や多数の開孔を有する疎水性繊維不織布を使用することができる。伸縮性を有する透水性シート７０には、親水性かつ伸縮性繊維不織布を使用することができる。
【００５６】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００５７】
伸縮性繊維不織布には、メルトブローンやスパンボンドの各製法により製造されたものを使用することができる。伸縮性繊維不織布の構成繊維には、熱可塑性エラストマー樹脂を溶融、紡糸した伸縮性繊維を使用することができる。透水性シート７０には、熱可塑性エラストマー樹脂繊維からなる親水性かつ伸縮性繊維不織布の少なくとも片面に、ポリプロピレン、ポリエチレン、ポリエステルのいずれかの熱可塑性合成樹脂を溶融、紡糸した捲縮繊維からなる親水性繊維不織布を重ね合わせた複合不織布を使用することもできる。
【００５８】
台紙３０には、バージン紙または古紙を使用することができる。バージン紙や古紙に特に限定はなく、アート紙、色板紙、コート紙、クラフト紙、グラシン紙、ケント紙、建材原紙、コットンペーパー、上質紙、中質紙、白板紙、図画用紙、防湿紙、ボンド紙、マーブル紙、チップボール、化粧板原紙、再生紙等を使用することができる。
【００５９】
上下面シート２１，２２どうしの固着、上面シート２１に台紙３０の固着、下面シート２２に対するコア２３の接合、台紙３０に対する透水性シート５０，７０の固着、透水性シート５０に対する弾性部材５１の固着には、接着剤、または、ヒートシールやソニックシール等の熱による溶着手段を利用することができる。接着剤には、ホットメルト型接着剤やアクリル系接着剤、ゴム系接着剤を使用することができる。
【図面の簡単な説明】
【００６０】
【図１】前域の側から示す排泄物処理パッドの部分破断斜視図。
【図２】後域の側から示す図１のパッドの斜視図。
【図３】パッドから台紙を分離した状態で示す分解斜視図。
【図４】図１の４−４線矢視断面図。
【図５】図１の５−５線矢視断面図。
【図６】パッドの使用状態を示す斜視図。
【図７】他の一例の前域の側から示す排泄物処理パッドの斜視図。
【図８】後域の側から示す図７のパッドの斜視図。
【図９】パッドから台紙を分離した状態で示す分解斜視図。
【図１０】図７の１０−１０線矢視断面図。
【図１１】図７の１１−１１線矢視断面図。
【符号の説明】
【００６１】
２０Ａ    排泄物処理パッド
２０Ｂ    排泄物処理パッド
２１    不透液性上面シート
２２    不透液性下面シート
２３    吸液性コア
２４    前域
２５    中間域
２６    後域
２７    開口
２８    空間
２９    開口周縁部
３０    台紙
３７    内周縁
３８    外周縁
３９    第１折曲線
４０    第２折曲線
４１    第３折曲線
４２    第４折曲線
４３    前壁
４４    両側壁
４５    後壁
４６    中央部
４７    両側部
４８    中央部
４９    両側部
５０    透水性シート
５１    伸縮性弾性部材
５２    前部位
５３    両側部位
５４    後部位
５５    中央部分
５６    両側部分
５７    中央部分
５８    両側部分
７０    透水性シート
【図１】
2005237793.tif 000003
【図２】
2005237793.tif 000004
【図３】
2005237793.tif 000005
【図４】
2005237793.tif 000006
【図５】
2005237793.tif 000007
【図６】
2005237793.tif 000008
【図７】
2005237793.tif 000009
【図８】
2005237793.tif 000010
【図９】
2005237793.tif 000011
【図１０】
2005237793.tif 000012
【図１１】
2005237793.tif 000013